(57)【要約】      （修正有）【課題】水に濡れた物品を収納した場合であっても、他の収納物及び衣服等を濡らす虞が無いと共に、全体の外観品質を低下させることがなく、且つ濡れた収納物を取り出した後には、速やかに乾燥させることが可能な副収納部を有する鞄を提供する。【解決手段】収納対象物を収納する主収納部１７と、該主収納部の下方に形成され、水に濡れた物品を収納しうる副収納部１８とを有する鞄であって、鞄本体には、上記副収納部の開口部１９を開閉可能に被覆すると共に通気孔部２０が設けられた蓋片部２１が設けられ、上記副収納部は防水性を有すると共に折り畳み可能な素材により形成された袋体２２からなる構成とする。【選択図】図１
0003166957.tif 000002
【実用新案登録請求の範囲】
【請求項１】
収納対象物を収納する主収納部と、主収納部の下方に形成され、水に濡れた物品を収納しうる副収納部とを有する鞄であって、
鞄本体には、上記副収納部の開口部を開閉可能に被覆すると共に通気孔部が設けられた蓋片部が設けられ、
上記副収納部は防水性を有すると共に折り畳み可能な素材により形成された袋体からなることを特徴とする鞄。  
【請求項２】
上記副収納部は上記鞄本体の底板部上に配置されると共に、上記副収納部内に水に濡れた物品が収納された場合には、上記副収納部上を被覆して配置されることにより、主収納部を副収納部から画成すると共に、上記副収納部内に水に濡れた物品が収納されない場合には、側板部内側面に沿わせると共に、上記袋体を収縮変形させて底板部上に配置することにより主収納部を拡張しうる第二の底板部を有することを特徴とする請求項１記載の鞄。
【請求項３】
上記鞄本体は全体略直方体に形成され、長方形状の底板部と、底板部の一対の長辺部に夫々設けられ、対向して設けられた一対の側板部と、上記側板部の間に設けられた一対のマチ部をと備え、
上記副収納部は、上記底板部上に長さ方向に沿って配置されると共に、上記蓋片部は上記マチ部に設けられていることを特徴とする請求項１または請求項２に記載の鞄。
【請求項４】
上記第二の底板部は長方形状に形成され、幅方向一端部は、上記鞄本体の一方の側板部の内側面に上下方向に回動可能に接合されると共に、幅方向他端部には、長さ方向に沿って、面ファスナーが配設された装着片部が延設され、
上記鞄本体の他方の側板部の内側面には、上記面ファスナーに係合しうる面ファスナー受け部が設けられ、
上記第二の底板部を回動させて、上記装着片部の面ファスナーと上記他方の側板部内側の面ファスナー受け部とを互いに係合させることによって、上記第二の底板部が上記主収納部内に形成されることを特徴とする請求項３記載の鞄。
【請求項５】
上記第二の底板部の裏面部の幅方向一端部には、上記装着片部の面ファスナーに嵌合しうる面ファスナー受け部が設けられ、
上記第二の底板部を使用しない場合には、上記装着片部を上記第二の底板部の裏面側に折り曲げ、上記装着片部の面ファスナーと、上記第二の底板部の裏面部の面ファスナー受け部とを接合させた上で、上記第二の底板部を回動させて、上記一方の側板部の内側面に沿って配置することを特徴とする請求項２記載の鞄。
【考案の詳細な説明】
【技術分野】
【０００１】
本考案は折畳み傘等を収納しうる副収納部を備えた鞄に関する。
【背景技術】
【０００２】
一般に、外出時に鞄と共に折り畳み傘を携帯する場合には、鞄の収納部内に傘を収納する場合が多いが、一旦使用した傘を再度折畳んで、鞄内に収納した場合には、他の収納物を濡らしてしまう虞があることから、上記事象を防止するためには、ビニール袋等に傘を入れてから、収納部内に収納する必要があり、収納動作が煩雑となると共に、ビニール袋が破れる等によって、水が漏れ、結局他の収納物を濡らしてしまうという不具合を有していた。
また、折畳み傘以外にも、飲料が入ったペットボトル等を収納する場合にも同様の不具合があった。
【０００３】
上記不具合を解決するため、鞄本体の外側に、傘等を収納するためのポケット状の副収納部、若しくは、傘を固定するための固定ベルト等が配設された鞄が流通している。
【０００４】
しかしながら、このような従来の傘の収納構造の場合、傘等によって鞄の外側が膨らみ、鞄全体の外観観品質が低下すると共に、鞄が衣服に触れた場合に、傘等の水滴によって、衣服を濡らしてしまう虞が有った。
また、傘を収納した際に、鞄表面が濡れ易く、皮革等の水濡れに弱い素材からなる鞄の場合には、色落ちや染み等の要因となるという別途の不具合をも有していた。
また、副収納部の内部が濡れてしまった場合には、乾燥させ難く、副収納部の内部にカビ等が発生する虞があった。
【考案の開示】
【考案が解決しようとする課題】
【０００５】
本考案は、水に濡れた物品を収納した場合であっても、他の収納物及び衣服等を濡らす虞が無いと共に、全体の外観品質を低下させることがなく、且つ濡れた収納物を取り出した後には、速やかに乾燥させることが可能な副収納部を有する鞄を提供することにある。
【課題を解決するための手段】
【０００６】
上記課題を解決するため、請求項１記載の考案に係る鞄は、収納対象物を収納する主収納部と、主収納部の下方に形成され、水に濡れた物品を収納しうる副収納部とを有する鞄であって、鞄本体を形成する側板部には、上記副収納部の開口部を開閉可能に被覆すると共に通気孔部が設けられた蓋片部が設けられ、上記副収納部は防水性を有すると共に折り畳み可能な素材により形成された袋体からなることを特徴とする。
【０００７】
従って、上記副収納部に傘等を収納する場合には、上記副収納部の開口部を介して副収納部内に差し入れるだけで簡単に収納できる。
【０００８】
また、上記副収納部が防水性を有するため、出し入れ時、及び収納時の何れの場合であっても、鞄本体内に収納された他の収納物と副収納部に収納された水に濡れた物品が互いに触れて、上記他の収納物を濡らしてしまうことが無い。
【０００９】
更に、上記副収納部が折畳み可能な素材で形成されているため、不使用時においては、主収納部内でコンパクトに折畳むことができる。
【００１０】
また、上記蓋片部によって、傘等の水に濡れた収納物を上記副収納部に収納して搬送する場合に、収納物が滑り落ちることが無く、また水滴等が外に漏れ出すことがない。
【００１１】
また、副収納部内で発生した水蒸気は、上記通気孔部を介して速やかに外部に発散される。
【００１２】
また、請求項２に記載した考案に係る鞄は、上記副収納部は上記鞄本体の底板部上に配置されると共に、上記副収納部内に水に濡れた物品が収納された場合には、上記副収納部上を被覆して配置されることにより、主収納部を副収納部から画成すると共に、上記副収納部内に水に濡れた物品が収納されない場合には、側板部内側面に沿わせると共に、上記袋体を収縮変形させて底板部上に配置することにより主収納部を拡張しうる第二の底板部を有することを特徴とする。
【００１３】
従って、主収納部の収納物が、副収納部を押し潰し、傘等の水に濡れた物品を破損する虞が無い。
【００１４】
また、請求項３の考案に係る鞄は、上記鞄本体は全体略直方体に形成され、長方形状の底板部と、底板部の一対の長辺部に夫々設けられ、対向して設けられた一対の側板部と、上記側板部の間に設けられた一対のマチ部をと備え、上記副収納部は、上記底板部上に長さ方向に沿って配置されると共に、上記蓋片部は上記マチ部に設けられていることを特徴とする。
【００１５】
従って、水に濡れた物品を上記副収納部に収納した場合であっても、鞄全体の外観品質を損なうことが無い。
【００１６】
また、請求項４の考案に係る鞄は、上記第二の底板部は長方形状に形成され、幅方向一端部は、上記鞄本体の一方の側板部の内側面に上下方向に回動可能に接合されると共に、幅方向他端部には、長さ方向に沿って、面ファスナーが配設された装着片部が延設され、上記鞄本体の他方の側板部の内側面には、上記面ファスナーに係合しうる面ファスナー受け部が設けられ、上記第二の底板部を回動させて、上記装着片部の面ファスナーと上記他方の側板部内側の面ファスナー受け部とを互いに係合させることによって、上記第二の底板部が上記主収納部内に形成されることを特徴とする。
【００１７】
従って、面ファスナーによって、必要時にのみ、上記第二の底板部を装着することができる。
【００１８】
また、請求項５の考案に係る鞄は、上記第二の底板部の裏面部の幅方向一端部には、上記装着片部の面ファスナーに嵌合しうる面ファスナー受け部が設けられ、上記第二の底板部を使用しない場合には、上記装着片部を上記第二の底板部の裏面側に折り曲げ、上記装着片部の面ファスナーと、上記第二の底板部の裏面部の面ファスナー受け部とを接合させた上で、上記第二の底板部を回動させて、上記一方の側板部の内側面に沿って配置することを特徴とする。
【００１９】
従って、鞄本体の一方の側板部の内側面に沿って配置した際に、収納空間が広く確保されると共に、上記装着片部の面ファスナーが鞄本体の内側面に触れることが無い。
【考案の効果】
【００２０】
請求項１の考案にあっては、、収納対象物を収納する主収納部と、主収納部の下方に形成され、水に濡れた物品を収納しうる副収納部とを有する鞄であって、鞄本体を形成する側板部には、上記副収納部の開口部を開閉可能に被覆すると共に通気孔部が設けられた蓋片部が設けられ、上記副収納部は防水性を有すると共に折り畳み可能な素材により形成された袋体からなることから、傘等を収納する場合には、上記副収納部の開口部から差し入れるのみで簡単に収納できると共に、収納及び取出し動作の過程において、鞄本体内に収納された他の収納物とは全に遮断される。
従って、水に濡れた収納物を収納した場合であっても、他の収納物及び衣服等を濡らす虞がなく、鞄全体の外観品質を低下させることもない。
また、副収納部の袋体を上記開口部から外側に引き出すことによって、水に濡れた副収納部の内側面を、速やかに乾燥させることが可能な鞄を提供することができる。
【００２１】
また、請求項２、請求項４及び請求項５記載の考案にあっては、上記副収納部は上記鞄本体の底板部上に配置されると共に、上記副収納部内に水に濡れた物品が収納された場合には、上記副収納部上を被覆して配置されることにより、主収納部を副収納部から画成すると共に、上記副収納部内に水に濡れた物品が収納されない場合には、側板部内側面に沿わせると共に、上記袋体を収縮変形させて底板部上に配置することにより主収納部を拡張しうる第二の底板部を有することから、上記副収納部に水に濡れた物品を収納している場合であっても、他の収納物の収納動作を阻害し難く、他の収納物の収納、取出し動作が行い易い。
特に、請求項４記載の考案にあっては、上記第二の底板部は長方形状に形成され、幅方向一端部は、上記鞄本体の一方の側板部の内側面に上下方向に回動可能に接合されると共に、幅方向他端部には、長さ方向に沿って、面ファスナーが配設された装着片部が延設され、上記鞄本体の他方の側板部の内側面には、上記面ファスナーに係合しうる面ファスナー受け部が設けられ、上記第二の底板部を回動させて、上記装着片部の面ファスナーと上記他方の側板部内側の面ファスナー受け部とを互いに係合させることによって、上記第二の底板部が上記主収納部内に形成されることから、上記第二の底板部の固定操作がより容易となる。
更に、請求項５記載の考案にあっては、上記第二の底板部の裏面部の幅方向一端部には、上記装着片部の面ファスナーに嵌合しうる面ファスナー受け部が設けられ、上記第二の底板部を使用しない場合には、上記装着片部を上記第二の底板部の裏面側に折り曲げ、上記装着片部の面ファスナーと、上記第二の底板部の裏面部の面ファスナー受け部とを接合させた上で、上記第二の底板部を回動させて、上記一方の側板部の内側面に沿って配置することから、上記第二の底板部を使用しない場合に、上記第二の底板部を鞄本体の一方の側板部の内側面に沿って配置することによって、鞄本体の主収納部をより大きく確保できると共に、上記装着片部の面ファスナーが鞄本体の内側面に触れることが無いため、面ファスナーによって鞄本体の内側面が傷つく虞が無い。
【図面の簡単な説明】
【００２２】
【図１】本考案の一実施の形態に係る鞄を示し、一部分を透過させた全体斜視図である。
【図２】本考案の一実施の形態に係る鞄を示し、（ａ）図１におけるＡ−Ａ線断面図、（ｂ）は（ａ）の状態から第二の底板部を回動させて、鞄本体の一方の側板部の内側面に沿って配置した状態を示す断面図である。
【図３】本考案の一実施の形態に係る鞄を示し、袋状の副収納部を外方に引き出した状態を示す全体斜視図である。
【考案を実施するための最良の形態】
【００２３】
以下、添付図面に示す実施の形態に基づき本考案を詳細に説明する。
図１に示すように、本実施の形態に係る鞄１０の鞄本体１１は全体略直方体に形成され、長方形状の底板部１２と、底板部１２の一対の長辺部に夫々設けられ、対向して設けられた一対の側板部１３、１４と、上記側板部１３、１４の間に設けられた一対のマチ部１５、１６をと備え、収納対象物を収納する主収納部１７と、主収納部１７の下方に形成され、水に濡れた物品を収納しうる副収納部１８とを有し、上記マチ部１５には、上記副収納部１８の開口部１９を開閉可能に被覆すると共に、通気孔部２０が設けられた蓋片部２１が設けられている。
【００２４】
また、上記副収納部１８は防水性を有すると共に、折り畳み可能な素材により形成された袋体２２から形成されている。  
【００２５】
また、上記副収納部１８は上記鞄本体１１の底板部１２上に配置されると共に、上記副収納部１８内に水に濡れた物品が収納された場合には、上記副収納部１８上を被覆して配置されることにより、主収納部１７を副収納部１８から画成すると共に、上記副収納部１８内に水に濡れた物品が収納されない場合には、側板部１３の内側面に沿わせると共に、上記袋体２２を収縮変形させて底板部１２上に配置することにより主収納部１７を拡張しうる第二の底板部２３を有している。
【００２６】
また、上記副収納部１８は、水に濡れた物品が収納された場合には、上記底板部１２上に長さ方向に沿って配置される。
【００２７】
また、上記第二の底板部２３は長方形状に形成され、幅方向一端部２３ａは、上記鞄本体１１の一方の側板部１３の内側面に、上下方向に回動可能に接合されると共に、幅方向他端部２３ｂには、長さ方向に沿って、面ファスナー２４が配設された装着片部２５が延設されると共に、上記鞄本体１１の他方の側板部１４の内側面には、上記面ファスナー２４に係合しうる面ファスナー受け部２６が設けられている。
また、上記第二の底板部２３の裏面部の幅方向他端部２３ｂには、上記装着片部２５の面ファスナー２４に嵌合しうる面ファスナー受け部２７が設けられている。
【実施例】
【００２８】
以下上記形態における実施例の構成について、図面を用いて詳述する。
図１は、本実施例に係る鞄１０を示す一部を透過させた状態を示す全体斜視図である。
図１に示すように、本実施例に係る鞄１０は、互いに対向して配置された長方形の一対の側板部１３、１４と、上記側板部１３、１４と間に配置されたマチ部１５、１６と、細長長方形に形成された底板部１２から形成され、上記側板部１３、１４の上端部の長さ方向略中央部には、一対の持手部２８、２９が配設されている。
【００２９】
また、図１に示すように、上記蓋片部２１はの外周縁部２１ａは、スライダ３０により開閉可能なスライドファスナー３１が配設されている。
また、上記通気孔部２０は上記蓋片部２１を貫通して形成されている。
【００３０】
また、図２（ａ）に示すように、上記第二の底板部２３は、上記底板部１２と略同一形状に形成され、幅方向一端部２３ａにおいて、長さ方向に沿って、上記一方の側板部１３の内側面に固定されている。
また、上記他方の側板部１４の内側面に設けられた面ファスナー受け部２６は、上記第二の底板部２３の幅方向一端部２３ａの固定部位に対向する位置に設けられている。
【００３１】
以下、本実施の作用について、水に濡れた折り畳み傘（図示せず）を副収納部１８に収納する場合を例に添付図面を用いて説明する。
鞄１０の副収納部１８に折り畳み傘を収納する場合には、図１に示すように、スライダ３０をスライドさせることによって、スライドファスナー３１を開放し、上記蓋片部２１を外方に開いて上記副収納部１８の開口部１９を開放し、上記折り畳み傘を上記開口部１９から挿入し、再び上記スライドファスナー３１を閉止することによって、上記折り畳み傘が上記副収納部１８内に封入される。
従って、片手であっても簡単に折り畳み傘を上記副収納部１８に収納することができる。
【００３２】
また、副収納部１８は、水を透過しない防水性を有する袋体２２から形成されていることから、折り畳み傘が濡れている場合であっても、鞄本体１１の主収納部１２内に収納されている他の収納物（図示せず）を濡らしてしまうことがない。
また、上記副収納部１８が、主収納部１７の内方に配置されていることから、鞄１０の外側からは、視認されず、折り畳み傘を収納する前後において、鞄１０の外観が変化しないため、鞄１０の外観品質が損なわれることがない。
また、上記蓋片部２１には通気孔部２０が設けられていることから、濡れた折畳み傘を収納した状態でも、上記副収納部１８の内部が湿気難く、カビや臭いの発生が防止される。
更に、折り畳み傘を収納しない状態においては、上記副収納部１８の袋体２２を平らな形状に収縮変形させて畳んだ状態にすることができるため、主収納部１７の収納空間を広く確保することができる。
【００３３】
また、折り畳み傘を副収納部１８に収納した状態で、上記第二の底板部２３を回動させて、上記装着片部２５の面ファスナー２４と上記他方の側板部１４の内側面の面ファスナー受け部２６とを互いに係合させることによって、上記第二の底板部２３が上記副収納部１８の上方に固定することによって、主収納部１７の底部分が上記第二の底板部２３によって画成され、平滑な状態に保持されるため、他の収納物が主収納部１７内で散乱し難く、収納、取出し操作が容易になる。
加えて、折り畳み傘を収納しない状態においては、上記装着片部２５を上記第二の底板部２３の裏面側に折り曲げて、上記面ファスナー２４と面ファスナー受け部２７を接合し、上記第二の底板部２３を回動させて、上記一方の側板部１３の内側面に沿って配置することによって、主収納部１７を広い状態に保持することができると共に、面ファスナー２４によって、上記一方の側板部１３の内側面が傷つけられることが無い。
【００３４】
なお、鞄１０の全体形状については、折り畳み傘を収納しうる大きさの副収納部が確保できれば、特に本実施例の形状に限定する必要は無く、本実施例で記載された構成以外に、ポケット部等の別の副収納部を有していても良い。
また、副収納部１８を形成する袋体２２についても、所定の柔軟性及び防水性が確保できれば、特に素材を限定する必要は無く、適宜選択することができる。
【産業上の利用可能性】
【００３５】
本考案は、折畳み傘等を収納しうる副収納部を備えた鞄に広く適用することができる。
【符号の説明】
【００３６】
１０  鞄
１１  鞄本体
１２  底板部
１３  側板部
１４  側板部
１５  マチ部
１６  マチ部
１７  主収納部
１８  副収納部
１９  開口部
２０  通気孔部
２１  蓋片部
２１ａ蓋片部の外周縁部
２２  袋体
２３  第二の底板部
２３ａ第二の底板部の幅方向一端部
２３ｂ第二の底板部の幅方向他端部
２４  面ファスナー
２５  装着片部
２６  面ファスナー受け部
２７  面ファスナー受け部
２８  持ち手部
２９  持ち手部
３０  スライダ
３１  スライドファスナー
【図１】
0003166957.tif 000003
【図２】
0003166957.tif 000004
【図３】
0003166957.tif 000005
【手続補正書】
【提出日】平成23年2月15日(2011.2.15)
【手続補正１】
【補正対象書類名】実用新案登録請求の範囲
【補正対象項目名】全文
【補正方法】変更
【補正の内容】
【実用新案登録請求の範囲】
【請求項１】
収納対象物を収納する主収納部と、主収納部の下方に形成され、水に濡れた物品を収納しうる副収納部とを有する鞄であって、
鞄本体には、上記副収納部の開口部を開閉可能に被覆すると共に通気孔部が設けられた蓋片部が設けられ、
上記副収納部は撥水性を有すると共に折り畳み可能な素材により形成された袋体からなることを特徴とする鞄。  
【請求項２】
上記副収納部は上記鞄本体の底板部上に配置されると共に、上記副収納部内に水に濡れた物品が収納された場合には、上記副収納部上を被覆して配置されることにより、主収納部を副収納部から画成すると共に、上記副収納部内に水に濡れた物品が収納されない場合には、側板部内側面に沿わせると共に、上記袋体を収縮変形させて底板部上に配置することにより主収納部を拡張しうる第二の底板部を有することを特徴とする請求項１記載の鞄。
【請求項３】
上記鞄本体は全体略直方体に形成され、長方形状の底板部と、底板部の一対の長辺部に夫々設けられ、対向して設けられた一対の側板部と、上記側板部の間に設けられた一対のマチ部をと備え、
上記副収納部は、上記底板部上に長さ方向に沿って配置されると共に、上記蓋片部は上記マチ部に設けられていることを特徴とする請求項１または請求項２に記載の鞄。
【請求項４】
上記第二の底板部は長方形状に形成され、幅方向一端部は、上記鞄本体の一方の側板部の内側面に上下方向に回動可能に接合されると共に、幅方向他端部には、長さ方向に沿って、面ファスナーが配設された装着片部が延設され、
上記鞄本体の他方の側板部の内側面には、上記面ファスナーに係合しうる面ファスナー受け部が設けられ、
上記第二の底板部を回動させて、上記装着片部の面ファスナーと上記他方の側板部内側の面ファスナー受け部とを互いに係合させることによって、上記第二の底板部が上記主収納部内に形成されることを特徴とする請求項３記載の鞄。
【請求項５】
上記第二の底板部の裏面部の幅方向一端部には、上記装着片部の面ファスナーに嵌合しうる面ファスナー受け部が設けられ、
上記第二の底板部を使用しない場合には、上記装着片部を上記第二の底板部の裏面側に折り曲げ、上記装着片部の面ファスナーと、上記第二の底板部の裏面部の面ファスナー受け部とを接合させた上で、上記第二の底板部を回動させて、上記一方の側板部の内側面に沿って配置することを特徴とする請求項２記載の鞄。
【手続補正２】
【補正対象書類名】明細書
【補正対象項目名】全文
【補正方法】変更
【補正の内容】
【考案の詳細な説明】
【技術分野】
【０００１】
本考案は折畳み傘等を収納しうる副収納部を備えた鞄に関する。
【背景技術】
【０００２】
一般に、外出時に鞄と共に折り畳み傘を携帯する場合には、鞄の収納部内に傘を収納する場合が多いが、一旦使用した傘を再度折畳んで、鞄内に収納した場合には、他の収納物を濡らしてしまう虞があることから、上記事象を防止するためには、ビニール袋等に傘を入れてから、収納部内に収納する必要があり、収納動作が煩雑となると共に、ビニール袋が破れる等によって、水が漏れ、結局他の収納物を濡らしてしまうという不具合を有していた。
また、折畳み傘以外にも、飲料が入ったペットボトル等を収納する場合にも同様の不具合があった。
【０００３】
上記不具合を解決するため、鞄本体の外側に、傘等を収納するためのポケット状の副収納部、若しくは、傘を固定するための固定ベルト等が配設された鞄が流通している。
【０００４】
しかしながら、このような従来の傘の収納構造の場合、傘等によって鞄の外側が膨らみ、鞄全体の外観品質が低下すると共に、鞄が衣服に触れた場合に、傘等の水滴によって、衣服を濡らしてしまう虞が有った。
また、傘を収納した際に、鞄表面が濡れ易く、皮革等の水濡れに弱い素材からなる鞄の場合には、色落ちや染み等の要因となるという別途の不具合をも有していた。
また、副収納部の内部が濡れてしまった場合には、乾燥させ難く、副収納部の内部にカビ等が発生する虞があった。
【考案の開示】
【考案が解決しようとする課題】
【０００５】
本考案は、水に濡れた物品を収納した場合であっても、他の収納物及び衣服等を濡らす虞が無いと共に、全体の外観品質を低下させることがなく、且つ濡れた収納物を取り出した後には、速やかに乾燥させることが可能な副収納部を有する鞄を提供することにある。
【課題を解決するための手段】
【０００６】
上記課題を解決するため、請求項１記載の考案に係る鞄は、収納対象物を収納する主収納部と、主収納部の下方に形成され、水に濡れた物品を収納しうる副収納部とを有する鞄であって、鞄本体を形成する側板部には、上記副収納部の開口部を開閉可能に被覆すると共に通気孔部が設けられた蓋片部が設けられ、上記副収納部は撥水性を有すると共に折り畳み可能な素材により形成された袋体からなることを特徴とする。
【０００７】
従って、上記副収納部に傘等を収納する場合には、上記副収納部の開口部を介して副収納部内に差し入れるだけで簡単に収納できる。
【０００８】
また、上記副収納部が撥水性を有するため、出し入れ時、及び収納時の何れの場合であっても、鞄本体内に収納された他の収納物と副収納部に収納された水に濡れた物品が互いに触れて、上記他の収納物を濡らしてしまうことが無い。
【０００９】
更に、上記副収納部が折畳み可能な素材で形成されているため、不使用時においては、主収納部内でコンパクトに折畳むことができる。
【００１０】
また、上記蓋片部によって、傘等の水に濡れた収納物を上記副収納部に収納して搬送する場合に、収納物が滑り落ちることが無く、また水滴等が外に漏れ出すことがない。
【００１１】
また、上記通気孔部を有することによって、上記副収納部の内部が湿気し難く、カビや臭いの発生が軽減される。
【００１２】
また、請求項２に記載した考案に係る鞄は、上記副収納部は上記鞄本体の底板部上に配置されると共に、上記副収納部内に水に濡れた物品が収納された場合には、上記副収納部上を被覆して配置されることにより、主収納部を副収納部から画成すると共に、上記副収納部内に水に濡れた物品が収納されない場合には、側板部内側面に沿わせると共に、上記袋体を収縮変形させて底板部上に配置することにより主収納部を拡張しうる第二の底板部を有することを特徴とする。
【００１３】
従って、主収納部の収納物が、副収納部を押し潰し、傘等の水に濡れた物品を破損する虞が無い。
【００１４】
また、請求項３の考案に係る鞄は、上記鞄本体は全体略直方体に形成され、長方形状の底板部と、底板部の一対の長辺部に夫々設けられ、対向して設けられた一対の側板部と、上記側板部の間に設けられた一対のマチ部をと備え、上記副収納部は、上記底板部上に長さ方向に沿って配置されると共に、上記蓋片部は上記マチ部に設けられていることを特徴とする。
【００１５】
従って、水に濡れた物品を上記副収納部に収納した場合であっても、鞄全体の外観品質を損なうことが無い。
【００１６】
また、請求項４の考案に係る鞄は、上記第二の底板部は長方形状に形成され、幅方向一端部は、上記鞄本体の一方の側板部の内側面に上下方向に回動可能に接合されると共に、幅方向他端部には、長さ方向に沿って、面ファスナーが配設された装着片部が延設され、上記鞄本体の他方の側板部の内側面には、上記面ファスナーに係合しうる面ファスナー受け部が設けられ、上記第二の底板部を回動させて、上記装着片部の面ファスナーと上記他方の側板部内側の面ファスナー受け部とを互いに係合させることによって、上記第二の底板部が上記主収納部内に形成されることを特徴とする。
【００１７】
従って、面ファスナーによって、必要時にのみ、上記第二の底板部を装着することができる。
【００１８】
また、請求項５の考案に係る鞄は、上記第二の底板部の裏面部の幅方向一端部には、上記装着片部の面ファスナーに嵌合しうる面ファスナー受け部が設けられ、上記第二の底板部を使用しない場合には、上記装着片部を上記第二の底板部の裏面側に折り曲げ、上記装着片部の面ファスナーと、上記第二の底板部の裏面部の面ファスナー受け部とを接合させた上で、上記第二の底板部を回動させて、上記一方の側板部の内側面に沿って配置することを特徴とする。
【００１９】
従って、鞄本体の一方の側板部の内側面に沿って配置した際に、収納空間が広く確保されると共に、上記装着片部の面ファスナーが鞄本体の内側面に触れることが無い。
【考案の効果】
【００２０】
請求項１の考案にあっては、、収納対象物を収納する主収納部と、主収納部の下方に形成され、水に濡れた物品を収納しうる副収納部とを有する鞄であって、鞄本体を形成する側板部には、上記副収納部の開口部を開閉可能に被覆すると共に通気孔部が設けられた蓋片部が設けられ、上記副収納部は撥水性を有すると共に折り畳み可能な素材により形成された袋体からなることから、傘等を収納する場合には、上記副収納部の開口部から差し入れるのみで簡単に収納できると共に、収納及び取出し動作の過程において、鞄本体内に収納された他の収納物とは完全に遮断される。
従って、水に濡れた収納物を収納した場合であっても、他の収納物及び衣服等を濡らす虞がなく、鞄全体の外観品質を低下させることもない。
また、副収納部の袋体を上記開口部から外側に引き出すことによって、水に濡れた副収納部の内側面を、速やかに乾燥させることが可能な鞄を提供することができる。
【００２１】
また、請求項２、請求項４及び請求項５記載の考案にあっては、上記副収納部は上記鞄本体の底板部上に配置されると共に、上記副収納部内に水に濡れた物品が収納された場合には、上記副収納部上を被覆して配置されることにより、主収納部を副収納部から画成すると共に、上記副収納部内に水に濡れた物品が収納されない場合には、側板部内側面に沿わせると共に、上記袋体を収縮変形させて底板部上に配置することにより主収納部を拡張しうる第二の底板部を有することから、上記副収納部に水に濡れた物品を収納している場合であっても、他の収納物の収納動作を阻害し難く、他の収納物の収納、取出し動作が行い易い。
特に、請求項４記載の考案にあっては、上記第二の底板部は長方形状に形成され、幅方向一端部は、上記鞄本体の一方の側板部の内側面に上下方向に回動可能に接合されると共に、幅方向他端部には、長さ方向に沿って、面ファスナーが配設された装着片部が延設され、上記鞄本体の他方の側板部の内側面には、上記面ファスナーに係合しうる面ファスナー受け部が設けられ、上記第二の底板部を回動させて、上記装着片部の面ファスナーと上記他方の側板部内側の面ファスナー受け部とを互いに係合させることによって、上記第二の底板部が上記主収納部内に形成されることから、上記第二の底板部の固定操作がより容易となる。
更に、請求項５記載の考案にあっては、上記第二の底板部の裏面部の幅方向一端部には、上記装着片部の面ファスナーに嵌合しうる面ファスナー受け部が設けられ、上記第二の底板部を使用しない場合には、上記装着片部を上記第二の底板部の裏面側に折り曲げ、上記装着片部の面ファスナーと、上記第二の底板部の裏面部の面ファスナー受け部とを接合させた上で、上記第二の底板部を回動させて、上記一方の側板部の内側面に沿って配置することから、上記第二の底板部を使用しない場合に、上記第二の底板部を鞄本体の一方の側板部の内側面に沿って配置することによって、鞄本体の主収納部をより大きく確保できると共に、上記装着片部の面ファスナーが鞄本体の内側面に触れることが無いため、面ファスナーによって鞄本体の内側面が傷つく虞が無い。
【図面の簡単な説明】
【００２２】
【図１】本考案の一実施の形態に係る鞄を示し、一部分を透過させた全体斜視図である。
【図２】本考案の一実施の形態に係る鞄を示し、（ａ）図１におけるＡ−Ａ線断面図、（ｂ）は（ａ）の状態から第二の底板部を回動させて、鞄本体の一方の側板部の内側面に沿って配置した状態を示す断面図である。
【図３】本考案の一実施の形態に係る鞄を示し、袋状の副収納部を外方に引き出した状態を示す全体斜視図である。
【考案を実施するための形態】
【００２３】
以下、添付図面に示す実施の形態に基づき本考案を詳細に説明する。
図１に示すように、本実施の形態に係る鞄１０の鞄本体１１は全体略直方体に形成され、長方形状の底板部１２と、底板部１２の一対の長辺部に夫々設けられ、対向して設けられた一対の側板部１３、１４と、上記側板部１３、１４の間に設けられた一対のマチ部１５、１６をと備え、収納対象物を収納する主収納部１７と、主収納部１７の下方に形成され、水に濡れた物品を収納しうる副収納部１８とを有し、上記マチ部１５には、上記副収納部１８の開口部１９を開閉可能に被覆すると共に、通気孔部２０が設けられた蓋片部２１が設けられている。
【００２４】
また、上記副収納部１８は撥水性を有すると共に、折り畳み可能な素材により形成された袋体２２から形成されている。  
【００２５】
また、上記副収納部１８は上記鞄本体１１の底板部１２上に配置されると共に、上記副収納部１８内に水に濡れた物品が収納された場合には、上記副収納部１８上を被覆して配置されることにより、主収納部１７を副収納部１８から画成すると共に、上記副収納部１８内に水に濡れた物品が収納されない場合には、側板部１３の内側面に沿わせると共に、上記袋体２２を収縮変形させて底板部１２上に配置することにより主収納部１７を拡張しうる第二の底板部２３を有している。
【００２６】
また、上記副収納部１８は、水に濡れた物品が収納された場合には、上記底板部１２上に長さ方向に沿って配置される。
【００２７】
また、上記第二の底板部２３は長方形状に形成され、幅方向一端部２３ａは、上記鞄本体１１の一方の側板部１３の内側面に、上下方向に回動可能に接合されると共に、幅方向他端部２３ｂには、長さ方向に沿って、面ファスナー２４が配設された装着片部２５が延設されると共に、上記鞄本体１１の他方の側板部１４の内側面には、上記面ファスナー２４に係合しうる面ファスナー受け部２６が設けられている。
また、上記第二の底板部２３の裏面部の幅方向他端部２３ｂには、上記装着片部２５の面ファスナー２４に嵌合しうる面ファスナー受け部２７が設けられている。
【実施例】
【００２８】
以下上記形態における実施例の構成について、図面を用いて詳述する。
図１は、本実施例に係る鞄１０を示す一部を透過させた状態を示す全体斜視図である。
図１に示すように、本実施例に係る鞄１０は、互いに対向して配置された長方形の一対の側板部１３、１４と、上記側板部１３、１４との間に配置されたマチ部１５、１６と、細長長方形に形成された底板部１２から形成され、上記側板部１３、１４の上端部の長さ方向略中央部には、一対の持手部２８、２９が配設されている。
【００２９】
また、図１に示すように、上記蓋片部２１の外周縁部２１ａは、スライダー３０により開閉可能なスライドファスナー３１が配設されている。
また、上記通気孔部２０は上記蓋片部２１を貫通して形成されている。
【００３０】
また、図２（ａ）に示すように、上記第二の底板部２３は、上記底板部１２と略同一形状に形成され、幅方向一端部２３ａにおいて、長さ方向に沿って、上記一方の側板部１３の内側面に固定されている。
また、上記他方の側板部１４の内側面に設けられた面ファスナー受け部２６は、上記第二の底板部２３の幅方向一端部２３ａの固定部位に対向する位置に設けられている。
【００３１】
以下、本実施の作用について、水に濡れた折り畳み傘（図示せず）を副収納部１８に収納する場合を例に添付図面を用いて説明する。
鞄１０の副収納部１８に折り畳み傘を収納する場合には、図１に示すように、スライダー３０をスライドさせることによって、スライドファスナー３１を開放し、上記蓋片部２１を外方に開いて上記副収納部１８の開口部１９を開放し、上記折り畳み傘を上記開口部１９から挿入し、再び上記スライドファスナー３１を閉止することによって、上記折り畳み傘が上記副収納部１８内に封入される。
従って、片手であっても簡単に折り畳み傘を上記副収納部１８に収納することができる。
【００３２】
また、副収納部１８は、水を透過しない撥水性を有する袋体２２から形成されていることから、折り畳み傘が濡れている場合であっても、鞄本体１１の主収納部１７内に収納されている他の収納物（図示せず）を濡らしてしまうことがない。
また、上記副収納部１８が、主収納部１７の内方に配置されていることから、鞄１０の外側からは、視認されず、折り畳み傘を収納する前後において、鞄１０の外観が変化しないため、鞄１０の外観品質が損なわれることがない。
また、上記蓋片部２１には通気孔部２０が設けられていることから、濡れた折畳み傘を収納した状態でも、上記副収納部１８の内部が湿気し難く、カビや臭いの発生が軽減される。
更に、折り畳み傘を収納しない状態においては、上記副収納部１８の袋体２２を平らな形状に収縮変形させて畳んだ状態にすることができるため、主収納部１７の収納空間を広く確保することができる。
【００３３】
また、折り畳み傘を副収納部１８に収納した状態で、上記第二の底板部２３を回動させて、上記装着片部２５の面ファスナー２４と上記他方の側板部１４の内側面の面ファスナー受け部２６とを互いに係合させることによって、上記第二の底板部２３が上記副収納部１８の上方に固定することによって、主収納部１７の底部分が上記第二の底板部２３によって画成され、平滑な状態に保持されるため、他の収納物が主収納部１７内で散乱し難く、収納、取出し操作が容易になる。
加えて、折り畳み傘を収納しない状態においては、上記装着片部２５を上記第二の底板部２３の裏面側に折り曲げて、上記面ファスナー２４と面ファスナー受け部２７を接合し、上記第二の底板部２３を回動させて、上記一方の側板部１３の内側面に沿って配置することによって、主収納部１７を広い状態に保持することができると共に、面ファスナー２４によって、上記一方の側板部１３の内側面が傷つけられることが無い。
【００３４】
なお、鞄１０の全体形状については、折り畳み傘を収納しうる大きさの副収納部が確保できれば、特に本実施例の形状に限定する必要は無く、本実施例で記載された構成以外に、ポケット部等の別の副収納部を有していても良い。
また、副収納部１８を形成する袋体２２についても、所定の柔軟性及び撥水性が確保できれば、特に素材を限定する必要は無く、適宜選択することができる。
【産業上の利用可能性】
【００３５】
本考案は、折畳み傘等を収納しうる副収納部を備えた鞄に広く適用することができる。
【符号の説明】
【００３６】
１０  鞄
１１  鞄本体
１２  底板部
１３  側板部
１４  側板部
１５  マチ部
１６  マチ部
１７  主収納部
１８  副収納部
１９  開口部
２０  通気孔部
２１  蓋片部
２１ａ蓋片部の外周縁部
２２  袋体
２３  第二の底板部
２３ａ第二の底板部の幅方向一端部
２３ｂ第二の底板部の幅方向他端部
２４  面ファスナー
２５  装着片部
２６  面ファスナー受け部
２７  面ファスナー受け部
２８  持ち手部
２９  持ち手部
３０  スライダー
３１  スライドファスナー
【手続補正４】
【補正対象書類名】図面
【補正対象項目名】図１
【補正方法】変更
【補正の内容】
【図１】
0003166957.tif 000006